(57)【要約】【課題】  動物の骨粉を混入しても、長期間安定して対象に付着し、且つ変色し難い塗料、並びにその塗料を用いた死者の祭祀物を提供する。【解決手段】  位牌の戒名の形成に、骨粉入りの塗料を使う。原塗料は、顔料の混合比率は１〜１０重量％、樹脂の混合比率は７０〜９５重量％、添加材の混合比率は１〜１０重量％である。粉砕後の骨粉を、原塗料に混入する。このとき、混入後の塗料において、骨粉が１〜１０重量％で含有されているように混入を行う。【選択図】なし【特許請求の範囲】
【請求項１】
動物の遺骨の骨粉を含有し、死者の祭祀物に塗布される塗料であって、
前記骨粉の平均粒径が１０〜１００μｍであり、
且つ、前記骨粉が１〜１０重量％で含有されている
塗料。
【請求項２】
前記塗料を構成する樹脂は、アクリル樹脂、ウレタン樹脂、シリコン樹脂、フッ素樹脂およびエポキシ樹脂のいずれかである
請求項１に記載の塗料。
【請求項３】
原塗料と前記骨粉とを混合して構成され、
前記原塗料は、顔料の混合比率が１〜１０重量％、樹脂の混合比率が７０〜９５重量％である
請求項１または請求項２に記載の塗料。
【請求項４】
動物の遺骨の骨粉を含有した塗料を用いた死者の祭祀物であって、
前記塗料に含有される前記骨粉の平均粒径が１０〜１００μｍであり、
且つ、前記塗料に前記骨粉が１〜１０重量％で含有されている
死者の祭祀物。
【発明の詳細な説明】
【技術分野】
【０００１】
本発明は、人骨を含有した塗料、並びにその塗料を利用した死者（人間，ペット等）の記念，供養等のための祭祀物に関する。
【背景技術】
【０００２】
近年、墓地の購入が困難であったり、自然葬に関する規制が緩和されたこと等の理由で、死者の骨の埋葬の形態が変化してきている。例えば、死者の記念，供養等のための屋内の装置品について、死者の骨の一部を安置できるようにしたいという要請がある。
このような位牌は、家庭内で故人を身近に感じながら、お参りすることができる。
特許文献１には、焼却された粉粒状に粉砕された死者の骨（人骨）を混入した塗料による戒名などの文字を形成した位牌が開示されている。
【先行技術文献】
【特許文献】
【０００３】
【特許文献１】特開平１１−２４４１３２号公報
【発明の概要】
【発明が解決しようとする課題】
【０００４】
ところで、人骨を混入して塗料とする場合に、顔料や接着剤の種類、並びにその混合比率を適切に選定しないと、短期間で剥がれたり、変色等してしまうという問題がある。
【０００５】
本発明は、このような問題点に鑑みてなされ、動物の骨粉を混入しても、長期間安定して対象に付着し、且つ変色し難い塗料、並びにその塗料を用いた死者の祭祀物を提供することを課題とする。
【課題を解決するための手段】
【０００６】
上述した従来技術の問題を解決し、上述した目的を達成するために、本発明の塗料は、動物の遺骨の骨粉を含有し、死者の祭祀物に塗布される塗料であって、前記骨粉の平均粒径が１０〜１００μｍであり、且つ、前記骨粉が１〜１０重量％で含有されている。
【０００７】
これは、平均粒径が１００μｍより大きいと骨粉が視認されてしまうという不利があるためである。
ここで、骨粉の顔料を１０重量％以下にしたのは、１０重量％を超えると、塗料としての付着性、色および耐久性が著しく低下するためである。
【０００８】
好適には、本発明の前記塗料を構成する樹脂は、アクリル樹脂、ウレタン樹脂、シリコン樹脂、フッ素樹脂およびエポキシ樹脂のいずれかである。
好適には、本発明の塗料は、原塗料と前記骨粉とを混合して構成され、前記原塗料は、顔料の混合比率は１〜１０重量％、樹脂の混合比率は７０〜９５重量％である。
【０００９】
本発明の死者の祭祀物は、動物の遺骨の骨粉を含有した塗料を用いた死者の祭祀物であって、前記塗料に含有される前記骨粉の平均粒径が１０〜１００μｍであり、且つ、前記塗料に前記骨粉が１〜１０重量％で含有されている。
【発明の効果】
【００１０】
本発明によれば、動物の骨粉を混入しても、長期間安定して対象に付着し、且つ変色し難い塗料、並びにその塗料を用いた死者の祭祀物を提供することができる。
【図面の簡単な説明】
【００１１】
【図１】図１は、本実施形態の位牌の正面図である。
【発明を実施するための形態】
【００１２】
以下、本発明の実施形態に係る位牌を図面に基づいて説明する。
＜第１実施形態＞
本実施形態では、位牌の戒名の形成に、骨粉入りの塗料を使う。
図１は、本実施形態の位牌１の正面図である。
図１に示すように、位牌１の正面２には、戒名に応じたパターンで凹部４が形成されており、その凹部４に本実施形態の塗料が付着している。
【００１３】
以下、本実施形態の塗料について説明する。
本実施形態の塗料は、原塗料に骨粉を混合したものである。
【００１４】
原材料について説明する。
原塗料は、顔料と樹脂と添加剤とを溶剤に混入して製造される。
【００１５】
顔料は、水、油、溶剤などに溶けずそのものが色をもつ粉末固体で、主に塗料の色彩などを形づくる。顔料としては、例えば、アルミニウム粉等の無機顔料が用いられる。無機顔料は一般的に有機顔料に比べると着色力・透明性・鮮明さに欠けるが、耐光性が良い。
また、金粉等を用いてもよい。
【００１６】
樹脂は、塗膜主要素ともいい、塗膜が固まる元になる成分である。この樹脂の特徴が耐候性や柔軟性、耐水性などの塗膜性能を決める。
本実施形態では、樹脂として、例えば、石油を原料とした合成樹脂であるアクリル樹脂、ウレタン樹脂、シリコン樹脂、フッ素樹脂等が用いられる。
また、エポキシ樹脂を用いてもよい。
【００１７】
添加剤としては、可塑剤、分散剤、沈降防止剤、乳化剤、増粘剤、消泡剤、防カビ剤、防腐剤、乾燥剤、たれ防止剤、つや消し剤等が用いられる。
また、添加剤としては、接着剤も用いられる。
【００１８】
また、上記原塗料は、顔料の混合比率は１〜１０重量％である。
また、樹脂の混合比率は７０〜９５重量％である。
また、添加材の混合比率は１〜１０重量％である。
【００１９】
上記塗料に混入する骨粉について説明する。
骨粉は、例えば、火葬により焼却され、粉粒状に粉砕された人または動物の骨を順次投入しながら粉砕可能な骨粉砕装置（例えば、ミルミキサ）を用いて製造される。
この装置の内部に形成された骨粉砕空間内で、高速回転する回転剛体と衝突させることにより骨を粉砕し、収容空間に収容する。
このとき、粉砕された骨粉の平均粒径は、例えば１０〜１００μｍである。
このように粒径は設定したのは、粒径が１００μｍより大きいと骨粉が視認されてしまうという不利があるためである。
【００２０】
本実施形態では、上述した粉砕後の骨粉を、上述した原塗料に混入する。
このとき、混入後の塗料において、骨粉が１〜１０重量％で含有されているように混入を行う。例えば、攪拌装置を用いて、原塗料に骨粉を攪拌する。
ここで、骨粉の顔料を１０重量％以下にしたのは、１０重量％を超えると、塗料としての付着性、色および耐久性が著しく低下するためである。
【００２１】
上述した塗料を用いて、位牌の原板に戒名が形成される。
次に、原板全体に、例えば、黒色の塗料を塗布する。
次に、位牌の原板に、例えば、戒名を示すパターンで凹部を形成する。当該凹部の深さは、例えば、０．２〜２．０ｍｍである。
次に、上記原板の凹部に、上記骨粉入りの塗料を流し込む。
【００２２】
次に、位牌の全体にコーティング処理を施す。
すなわち、文字類の表面が透明または半透明で空気，水の通過を遮断する表面材によりコーティングされる。これにより、塗料と空気との接触が遮断される。
【００２３】
本実施形態によれば、動物の骨粉を混入しても、長期間安定して対象に付着し、且つ変色し難い塗料を提供できる。
また、この塗料を利用することで、位牌に形成された戒名の塗料を長期間安定して付着させることができる。
また、本実施形態では、骨の塊を位牌に収容するのではなく、焼却され粉粒状に粉砕された死者の骨を混合した塗料を用いることで、従来の一般的な位牌の構造をそのまま用いることができ、適用範囲が広い。
【００２４】
すなわち、本実施形態の塗料は、通常の塗料による耐食性や美観の向上の効果はもとより、防黴・抗菌性向上、滑り止め、耐熱等の効果を発揮する。
また、本実施形態の塗料は、防黴・抗菌作用により微生物類の繁殖を予防し、衛生上ならびに美観上も優れたものが得られる。
本実施形態の塗料は、エポキシ樹脂を用いることで、硬化剤との相互作用によって極めて強力でかつ密着性の高い塗膜を形成する特徴がある。したがって、上述の防黴・抗菌作用はもとより、各種塗装対象のひび割れや破損・穴開き箇所を補修する効果も大きい。
また、本実施形態の塗料は、動物の骨粉を含有することで、各種黴・細菌等の微生物が繁殖し難くなる上、耐熱性も向上するため、発酵熱に対する抵抗力も大きくなり、寿命を大幅に延長する効果が得られる。
【００２５】
＜第２実施形態＞
上述した第１実施形態で位牌の戒名に上記骨粉入りの塗料を用いた場合を例示したが、本実施形態では、位牌の正面、背面、側面領域の塗料として骨粉入りの塗料を使う。
このとき、戒名の塗料としても、上記骨粉入りの塗料を用いてもよい。
【００２６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
本発明は、戒名以外の領域に骨含塗料を塗布してもよい。また、戒名以外の文字や図形を描くために上記塗料を用いてもよい。
また、本発明の死者の祭祀のための物として、位牌以外のものを用いてもよい。
また、動物の骨は、人間以外にペットであってもよい。粉砕された骨粉の平均粒径は、例えば１０〜１００μｍである。
また、上述した実施形態では、戒名に応じたパターンで凹部に塗料を入れる場合を例示したが、平面に塗料を塗布して戒名を形成してもい。
【図１】
2011153223.tif 000002